(57)【要約】【課題】シャドウイングによる影響のみならず、パスが見え隠れする環境やパス自身が移動する環境下であっても受信特性の劣化を防止して受信特性の良いＣＤＭＡ受信を実現する。【解決手段】ＣＤＭＡ受信におけるマルチパスのフィンガ割り当て方法において、シャドウイングによって一時的にパスが消失したような場合にのみパス割り当てにヒステリシスを持たせて前回のパスをフィンガに割り当て、パスが見え隠れする環境やパスが移動する環境下においては、新たに検出されたパスをそのままフィンガに割り当てる。【選択図】　　　　図１
2004140705.tif 000002
【特許請求の範囲】
【請求項１】
所定時間毎に作成される遅延プロファイルからマルチパスを検出してフィンガに割り当てるようにした、ＣＤＭＡ受信におけるマルチパスのフィンガ割り当て方法において、
最新の遅延プロファイルからフィンガ割り当て候補パスを検出し、検出されたフィンガ割り当て候補パスのパスタイミングと、その直前に実際にフィンガに割り当てた保持用パスのパスタイミングとを比較し、
前記フィンガ割り当て候補パスのパスの数が前記保持用パスのパスの数以上である時には、そのフィンガ割り当て候補パスをそのままフィンガに割り当てると共に、その割り当てたパスを上記保持用パスに代えて保持し、上記フィンガ割り当て候補パスのパスの数が上記保持用パスのパスの数より少ない時には、そのフィンガ割り当て候補パスの各パスをそのまま保持用パスの該当する各パスと入れ替えてその保持用パスを更新し、且つその更新後の保持用パスをフィンガに割り当てると共に更新前の保持用パスに代えて保持し、
更新後の保持用パスの各パスのうち、入れ替えられていないパスに対しては、入れ替えられない回数を更新毎にカウントし、その数が所定数に達したときにその入れ替えられていないパスを削除するようにしたことを特徴とする、ＤＭＡ受信におけるマルチパスのフィンガ割り当て方法。
【請求項２】
所定時間毎に作成される遅延プロファイルからマルチパスを検出してフィンガに割り当てるようにした、ＣＤＭＡ受信におけるマルチパスのフィンガ割り当て装置において、
最新の遅延プロファイルからフィンガ割り当て候補パスを検出し、検出されたフィンガ割り当て候補パスのパスタイミングと、その直前に実際にフィンガに割り当てた保持用パスのパスタイミングとを比較するパスタイミング比較手段と、前記パスタイミング比較手段での比較の結果、そのフィンガ割り当て候補パスのパスの数がその保持用パスのパスの数以上である時には、そのフィンガ割り当て候補パスをそのままフィンガに割り当て、一方、そのフィンガ割り当て候補パスのパスの数が上記保持用パスのパスの数より少ない時には、そのフィンガ割り当て候補パスの各パスを保持用パスの該当する各パスと入れ替えてその保持用パスを更新してフィンガに割り当てるパス割り当て手段と、
前記パス割り当て手段で実際にフィンガに割り当てられたパスタイミングを上記保持用パスとして保持するパス格納手段と、
更新後の前記保持用パスの各パスのうち、入れ替えられていないパスに対して入れ替えられない回数を更新毎にカウントし、その数が所定数に達したときにそのパスを削除するパス削除決定処理手段と
を備えたことを特徴とする、ＣＤＭＡ受信におけるマルチパスのフィンガ割り当て装置。
【請求項３】
所定時間毎に作成される遅延プロファイルからマルチパスを検出してフィンガに割り当てるために、
最新の遅延プロファイルからフィンガ割り当て候補パスを検出し、検出されたフィンガ割り当て候補パスのパスタイミングと、その直前に実際にフィンガに割り当てた保持用パスのパスタイミングとを比較し、
前記フィンガ割り当て候補パスのパスの数が前記保持用パスのパスの数以上である時には、そのフィンガ割り当て候補パスをそのままフィンガに割り当てると共に、その割り当てたパスを上記保持用パスに代えて保持し、上記フィンガ割り当て候補パスのパスの数が上記保持用パスのパスの数より少ない時には、そのフィンガ割り当て候補パスの各パスをそのまま保持用パスの該当する各パスと入れ替えてその保持用パスを更新し、且つその更新後の保持用パスをフィンガに割り当てると共に更新前の保持用パスに代えて保持し、
更新後の保持用パスの各パスのうち、入れ替えられていないパスに対しては、入れ替えられない回数を更新毎にカウントし、その数が所定数に達したときにその入れ替えられていないパスを削除する
という手順をコンピュータに実行させる、ＣＤＭＡ受信におけるマルチパスのフィンガ割り当てプログラム。
【請求項４】
受信したマルチパスから遅延プロファイルを作成し、その遅延プロファイルから最適なマルチパスを選択してフィンガ部に割り当てるためのマルチパスサーチ部を備えたＣＤＭＡ受信機において、
前記マルチパスサーチ部が、
作成された遅延プロファイルからフィンガ部に割り当てる候補パスを検出するフィンガ割り当て候補パス検出手段と、
前記フィンガ割り当て候補チパスを保持するかどうかを判断するパス保持判断手段と、
前記パス保持判断手段で保持すると判断したパスを保持用パスとして格納するパス格納手段と、
前記パス格納手段に格納されているパスのパスタイミングと上記フィンガ割り当て候補パスのパスタイミングとを比較するパスタイミング比較手段と、
前記フィンガ割り当て候補パス検出手段で検出されたフィンガ割り当て候補パスをそのまま、あるいは更新処理後の保持用パスを、前記フィンガ部に割り当てるパス割り当て手段と
を備えていることを特徴とするＣＤＭＡ受信機。
【請求項５】
受信したマルチパスから遅延プロファイルを作成し、その遅延プロファイルから、最適なマルチパスを選択してフィンガ部に割り当てるためのマルチパスサーチ部を備えたＣＤＭＡ受信機において、
前記マルチパスサーチ部が、
請求項３に記載したＣＤＭＡ受信におけるマルチパスのフィンガ割り当てプログラムがロードされる制御メモリと、
前記制御メモリにロードされるプログラムによって信号処理回路をフィンガ割り当て回路として機能させるＤＳＰと
を備えていることを特徴とするＣＤＭＡ受信機。
【発明の詳細な説明】
【０００１】
【産業上の利用分野】
本発明は、ＣＤＭＡ受信におけるマルチパスのフィンガ割り当て方法及び装置、そのプラグラム並びにＣＤＭＡ受信機に関し、さらに言えば、携帯電話等の移動体通信装置に組み込まれるＣＤＭＡ受信機に好適に使用される、ＣＤＭＡ受信におけるマルチパスのフィンガ割り当て方法と装置、フィンガ割り当てプラグラム、並びにそれを用いたＣＤＭＡ受信機に関するものである。
【０００２】
【従来の技術】
【特許文献１】
特開２０００−１１５０３０号公報
従来、符号分割多重接続（Ｃｏｄｅ−Ｄｉｖｉｓｉｏｎ　Ｍｕｌｔｉｐｌｅ　Ａｃｃｅｓｓ、ＣＤＭＡ）システムを用いるＣＤＭＡ受信では、複数の伝搬路を伝搬して遅延到達する複数のパス（マルチパス）を検出して遅延プロファイル（遅延時間に対する信号電力分布）を作成し、作成した遅延プロファイルから相関値の大きい順にパスを各フィンガに割り当てて逆拡散した後、同相（Ｒａｋｅ）合成（レイク合成）を行うことにより、ダイバーシティ効果による受信特性の向上を可能としている。しかし、このようなマルチパス環境下においては、レイリーフェージングやシャドウイングの影響により、作成される遅延プロファイルが変動して受信特性が劣化することが知られている。
【０００３】
例えば、レイリーフェージングの場合では、説明を簡単にするために１つのフィンガを有する受信機を考えると、２つの等パスの遅延プロファイルが測定された場合、フィンガへの割り振りは微妙な相関値の変動によって一方のパスを割り当てたり、他方のパスを割り当てたりして頻繁にパスの切り替えが生じる結果、受信特性が劣化してしまう。ところが、実際のＣＤＭＡ受信機内には、フィンガが１２〜１６個程度、設けられているため、パス入れ替えが頻繁に行われるのはそれらのフィンガに割り当てられる複数のパスのうち、相関値が非常に小さい２つのパスであって、他のフィンガについてはパスの入れ替えは頻繁に行われない。その結果、安定してレイク合成することが可能となる。また、入れ替えが頻繁に行われるパスタイミングは２パスとも信号成分であるから、パス割り当てがばたついたとしても、ノイズをレイク合成してしまうことはない。従って、パス割り当ての「ばたつき」は受信特性を劣化させる大きな要因ではない。
【０００４】
一方、シャドウイングによって例えば最も大きい相関値を持つパスが一時的に消失した場合には、その消失した分だけフィンガに割り当てるパスがなくなるため、受信特性が大きく劣化してしまう。
【０００５】
これを具体的に示したのが以下の表１及び図５である。ここで表１は、図５に示すようなパスが一時的に消失する環境下において、フィンガにパスを割り当てる従来例を示したものである。図５において、Ａはある特定時間に作成された遅延プロファイルを示し、Ｂ、Ｃ、Ｄ、Ｅはその後の特定時間に作成された遅延プログラムファイルである。これらの遅延プロファイルはＡ、Ｂ、Ｃ、Ｄ、Ｅの順に一定時間毎に作成されたものである。
【０００６】
【表１】
2004140705.tif 000003
同表に示すように、従来では新たな遅延プロファイルが作成されると直ちに、その新たな遅延プロファイルの２つのパスＥ１（パスタイミング：１６１）、パスＥ２（パスタイミング：１７６）をそれぞれフィンガａ、ｂヘ割り当てるようにしている。このため、遅延プロファイルＡに続く、パスＥ１、Ｅ２が検出される遅延プロファイルＢを作成した時には問題ないが、この遅延プロファイルＢから、パスが検出されない遅延プロファイルＣを作成した時には、フィンガａ、ｂヘのパス割り当てが行われない。その結果、遅延プロファイルＣの作成時に受信特性が劣化してしまう。また、次の遅延プロファイルＤの作成時には、パスＥ２だけしかフィンガに割り当てられないため、同じく遅延プロファイルＤ作成時にも、受信特性が劣化してしまう。この現象は、再度パスＥ１、Ｅ２が検出される遅延プロファイルＥが作成される時まで解消しない。
【０００７】
そこで、本発明者らはこのような問題を解決すべく、例えば特許文献１（特開２０００−１１５０３０号）に開示されているように、新たなＣＤＭＡ受信装置及びそのマルチパスのフィンガ割り当て方法等に関する改良を提案している。この提案では、パスの割り当てにヒステリシスを持たせることにより、フィンガに対してパス割り当てが頻繁に入れ替わるのを防止してパス割り当てのばたつきを防止し、また、一時的にパスが消失したような場合にも前回のパス位置を保持することにより、受信特性の劣化を防止することを可能としている。
【０００８】
上記特許文献１（特開２０００−１１５０３０号）に開示されたＣＤＭＡ受信装置は、図７に示す構成を持つ。すなわち、プログラム制御によって動作するマルチパスサーチ部が実装されたＤＳＰ１０１と、アンテナ１０２と、高周波受信回路部１０３と、アナログ信号をディジタル信号に変換するＡ／Ｄ変換部１０４と、１つのパスについて逆拡散及びシンボル同期を取る複数のフィンガ部１０５と、複数のフィンガ部１０５を同相（Ｒａｋｅ）合成するＲａｋｅ合成受信部１０６と、スライディング相関器等からなる遅延プロファイル測定部１０７と、ハードウェアまたはＤＳＰ（Ｄｉｇｉｔａｌ　Ｓｉｇｎａｌ　Ｐｒｏｃｅｓｓｏｒ）等のプロセッサで構成される遅延プロファイル電力加算部１０８とを備えている。遅延プロファイル電力加算部１０８は、遅延プロファイル測定部１０７で得た遅延プロファイルに対して、フェージング等によるパス変動を平均化する。
【０００９】
ＤＳＰ１０ｌは、乗算器等からなる演算部１０９−１及び現在のフィンガ割り当て状態より決定される状態重み付け部１０９−２からなる重み付け部１０９と、遅延プロファイルよりマルチパスを検索する相関ピーク位置検出部１１０と、検出したマルチパスを各フィンガに割り当てるＲａｋｅパス割り当て部１１１と、ＤＳＰ１０１内の各部によって実行されるプログラムを格納する制御メモリ１１２とを備えて構成されている。
【００１０】
フィンガ割り当て動作は、図８のフィンガ割り当てフロー図に示すようにして行う。すなわち、先ず、重み付け部１０９により重み付け関数ｆ（ｔ）を「１」に設定する（ステップＳ１）。そして、相関ピーク位置検出部１１０により検出した遅延プロファイルのパスの相関値Ｄ（ｔ）に、その重み付け関数ｆ（ｔ）を乗算する（ステップＳ２）。また、乗算した相関値［ｆ（ｔ）＊Ｄ（ｔ）］の結果を基にして、Ｒａｋｅパス割り当て部１１１により、上位Ｎ個（Ｎはフィンガ本数により決定する整数）のパスを各フィンガに割り当てる（ステップＳ３、ステップＳ４）と共に、その重み付け関数を現在の割り当て位置が大きくなるように設定する（ステップＳ５）。そして、これらのステップを割り当てが終了するまで繰り返すのである（ステップＳ６）。
【００１１】
ここで、重み付け関数ｆ（ｔ）は、図９に示すように、現在フィンガに割り当てられているパスの相関値から算出される。遅延プロファイルのパスの相関値Ｄ（ｔ）は、サーチャー（図示せず）により検出したパスの相関値を時間軸上にプロットした遅延プロファイルから得られる。
【００１２】
このように、上記特許文献１（特開２０００−１１５０３０号）に開示されたフィンガ割り当て方法は、従来のように、作成した遅延プロファイルＤ（ｔ）から相関値の大きい順にＮ個割り当てるのではなく、作成した遅延プロファイルＤ（ｔ）と重み付け関数ｆ（ｔ）を乗算した結果（乗算器出力）［ｆ（ｔ）＊Ｄ（ｔ）］を基にして、相関値の大きい順に上位Ｎ個をフィンガに割り当てるようにしたものである。従って、図９において（３）のパスに割り当てられているフィンガが（４）のパスに切り替わるためには、パス（４）がパス（３）より重み付け関数により乗算される値だけ大きくなる必要がある。その結果、パスの入れ替えにヒステリシスを持たせることができるため、パス（３）とパス（４）との間での頻繁なパス切り替えを防止することが可能となる。また、シャドウイングによって一時的にパスが消失したような場合にも、前回のパス位置を保持することができる。このため、これらに起因する受信特性の劣化を効果的に防止することが可能となる。
【００１３】
【発明が解決しようとする課題】
ところで、実際の環境下における遅延プロファイルの変動は、上記のようなレイリーフェージングやシャドウイングの影響を受ける環境下だけではなく、「パスが見え隠れする環境」下や「パス自体が移動する環境」下においても発生することがある。このようなパスが見え隠れする環境やパス自体が移動する環境下において、前述した特許文献１（特開２０００−１１５０３０号）の方法をそのまま用いると、信号成分ではなくノイズ成分をそのままレイク合成してしまい、受信特性が大きく劣化してしまうことがある。
【００１４】
すなわち、「パスが見え隠れする環境」下のように、現在保持しているパスが完全に消失して新たにパスが出現した場合に、特許文献１（特開２０００−１１５０３０号）の方法を用いてパス入れ替えにヒステリシスを持たせると、新たに出現したパスの相関値が、保持しているすでに消失したパスの相関値を下回るため、すでに消失した前回のパスをそのままフィンガに割り当ててしまう結果となる。また、「パス自体が移動する環境」下のように、現在保持しているパスが完全に他のパスに移動した場合においても、同様に、移動したパスをフィンガに割り当てるのではなく、移動前のパスをフィンガに割り当ててしまう結果となる。このとき、すでに移動または消失した前回のパスはノイズ成分そのものであるから、このノイズ成分をそのままレイク合成すれば、受信特性が大きく劣化することは明らかである。
【００１５】
この現象をより具体的に示したのが、図１０と図１１の遅延プロファイル並びに以下の表２と表３に示すフィンガ割り当て表である。なお、図１０、図１１の遅延プロファイルは、それぞれ３ＧＰＰ　（３ｒｄ　Ｇｅｎｅｒａｔｉｏｎ　Ｐａｒｔｎｅｒｓｈｉｐ　Ｐｒｏｊｅｃｔ）　ＴＳ２５，１０１　Ｖ３．５．０，　”ＵＥ　Ｒａｄｉｏ　Ｔｒａｎｓｍｉｓｓｉｏｎ　ａｎｄ　Ｒｅｃｅｐｔｉｏｎ（ＦＤＤ）　（Ｒｅｌｅａｓｅ１９９９）”　（２０００年１２月発行）（以下、３ＧＰＰとする）のＰ．２８〜Ｐ．３０において規定されている環境下における遅延プロファイルを示したものであり、マルチパスサーチにより１／４チップ分解能で作成されたものである。また、図中のプロット点がサンプリングされたパスであり、図中のＢはある特定時間で作成された遅延プロファイルで、それぞれ後述する図３、図４に示す遅延プロファイルＢと同様である。また、図中のＢ’はＢの遅延プロファイルに重み付け関数ｆ（ｔ）を乗算した遅延プロファイルである。
【００１６】
先ず、図１０に示すように、Ｃ２に存在していたパスが消失してＣ３に新たに出現した場合、前記方法で重み付け関数ｆ（ｔ）を乗算した遅延プロファイルはＢ’のようになり、すでに消失したＣ２のパスの相関値が、新たに出現したＣ３のパスの相関値よりも大きくなる。そのため、重み付け関数ｆ（ｔ）を乗算して作成された遅延プロファイルＢ’を基にしてフィンガにパス割り当てを行うと、遅延プロファイルＢ作成時に、信号成分のパスＣ３ではなくノイズ成分のパスＣ２をそのままフィンガに割り当ててしまい、受信特性が劣化してしまう。
【００１７】
また、図１１に示すように、Ｄ２に存在していたパスがＤ３に移動した場合、前記方法で重み付け関数ｆ（ｔ）を乗算した遅延プロファイルはＢ’のようになり、すでに移動したＤ２のパスの相関値が、移動後であるＤ３のパスの相関値よりも大きくなる。このため、重み付け関数ｆ（ｔ）を乗算した遅延プロファイルＢ’を基にしてフィンガにパス割り当てを行うと、遅延プロファイルＢ作成時に、信号成分のパスＤ３ではなくノイズ成分のパスＤ２をフィンガに割り当ててしまうため、同じく受信特性が劣化してしまう。
【００１８】
以下の表２、表３は、それぞれ図３に示すようなパスが見え隠れする環境下と図４に示すようなパス自身が移動する環境下において、特許文献１（特開２０００−１１５０３０号）の方法がフィンガに割り当てるパスタイミングを示したものである。
【００１９】
【表２】
2004140705.tif 000004
【００２０】
【表３】
2004140705.tif 000005
表２に示すように、パス自身が移動する環境下では、特許文献１（特開２０００−１１５０３０号）の方法は、フィンガヘのパス入れ替えにヒステリシスを持たせているため、遅延プロファイルＢの作成時に、信号成分のパスＣ３ではなくノイズ成分のパスＣ２をフィンガに割り当てている。また、表３に示すように、パス自身が移動する環境下では、同じくフィンガヘのパス入れ替えにヒステリシスを持たせているため、遅延プロファイルＢの作成時に、信号成分のパスＤ３ではなくノイズ成分のパスＤ２をフィンガに割り当てている。従って、これら表２及び表３からもわかるように、パスが見え隠れする環境下やパス自身が移動する環境下においては、特許文献１（特開２０００−１１５０３０号）の方法はかえって受信特性を劣化させてしまう結果となる。また、遅延プロファイルＣの作成時にパスＤ３からパスＤ４に移動する場合においても、同様に受信特性が劣化してしまうことになる。
【００２１】
このように、特許文献１（特開２０００−１１５０３０号）の方法を用いた場合には、レイリーフェージングやシャドウイングの影響による受信特性の劣化を防止することはできるが、パスが見え隠れする環境やパスが移動する環境下においては、ノイズ成分をそのままフィンガに割り当ててしまい、受信特性が大幅に劣化する場合があるのである。
【００２２】
本発明はこのような難点を有効に解消するために案出されたものであり、その目的とするところは、レイリーフェージングやシャドウイングによる影響のみならず、パスが見え隠れする環境下やパス自身が移動する環境下であっても、受信特性の劣化を未然に防止することができる、ＣＤＭＡ受信におけるマルチパスのフィンガ割り当て方法及び装置、そのプログラム並びにＣＤＭＡ受信機を提供することにある。
【００２３】
ここで明記しない本発明の他の目的は、以下の説明から明らかになる。
【００２４】
【課題を解決するための手段】
（１）　本発明のＣＤＭＡ受信におけるマルチパスのフィンガ割り当て方法は、
所定時間毎に作成される遅延プロファイルからマルチパスを検出してフィンガに割り当てるようにした、ＣＤＭＡ受信におけるマルチパスのフィンガ割り当て方法において、
最新の遅延プロファイルからフィンガ割り当て候補パスを検出し、検出されたフィンガ割り当て候補パスのパスタイミングと、その直前に実際にフィンガに割り当てた保持用パスのパスタイミングとを比較し、
前記フィンガ割り当て候補パスのパスの数が前記保持用パスのパスの数以上である時には、そのフィンガ割り当て候補パスをそのままフィンガに割り当てると共に、その割り当てたパスを上記保持用パスに代えて保持し、上記フィンガ割り当て候補パスのパスの数が上記保持用パスのパスの数より少ない時には、そのフィンガ割り当て候補パスの各パスをそのまま保持用パスの該当する各パスと入れ替えてその保持用パスを更新し、且つその更新後の保持用パスをフィンガに割り当てると共に更新前の保持用パスに代えて保持し、
更新後の保持用パスの各パスのうち、入れ替えられていないパスに対しては、入れ替えられない回数を更新毎にカウントし、その数が所定数に達したときにその入れ替えられていないパスを削除するようにしたことを特徴とするものである。
【００２５】
（２）　本発明のＣＤＭＡ受信におけるマルチパスのフィンガ割り当て方法では、先ず、最新の遅延プロファイルから検出されたフィンガ割り当て候補パスのパスタイミングと、その直前に実際にフィンガに割り当てた保持用パスのパスタイミングとを比較する。その結果、前記フィンガ割り当て候補パスの数が少なくとも前記保持用パスの数以上である時には、シャドウイングによる影響を受けていない、つまり有効な信号成分であるパスの一部が消失していない、と判断できるため、フィンガヘのパス入れ替えにヒステリシスを持たせることなく、検出された前記フィンガ割り当て候補パスをそのまま選択してフィンガに割り当てる。
【００２６】
これにより、パスが見え隠れする現象やパス自体が移動する現象が起こっていても、ノイズ成分をフィンガに割り当てることなく、信号成分である有効なパスのみをフィンガに割り当てることができる。よって、パスが見え隠れする環境下やパス自体が移動する環境下における受信特性の劣化を、未然に防止することができる。
【００２７】
一方、前記パスタイミングの比較の結果、前記フィンガ割り当て候補パスの数が前記保持用パスの数より少ない時には、シャドウイングによる影響を受けた、すなわち有効な信号成分であるパスの一部あるいは全部が一時的に消失した、と判断できるため、前記フィンガ割り当て候補パスの各々をそのまま前記保持用パスの対応するパスと入れ替えてその保持用パスを更新し、その更新後の保持用パスをフィンガに割り当てる。すなわち、シャドウイングが発生した場合には、一時的に消失したパスに代えて前回のパスが割り当てられる。これにより、シャドウイングの影響によって有効な信号成分であるパスの一部あるいは全部が一時的に消失した場合には、フィンガヘのパス入れ替えにヒステリシスを持たせることができるため、シャドウイングによる信号特性の劣化を効果的に防止することができる。
【００２８】
そして、更新後の前記保持用パスをそのまま保持して次のフィンガ割り当て候補パスと比較するために用いれば、受信特性が低いパスタイミングと次に得られる最新のフィンガ割り当て用候補マルチパスのタイミングとを比較することがなくなり、高精度の比較処理を行うことができる。
【００２９】
さらに、更新後の前記保持用パスの各々のうち入れ替えられていないパスに対しては、入れ替えられない回数を更新毎にカウントする。そして、その入れ替えられない回数が所定数（例えば３回）に達したときには、その入れ替えられていないパスは、もはやシャドウイングの影響によって一時的に消失した有効なパスではなく、パスが移動する前のパス等であってノイズ成分であると判断できる。従って、入れ替えられない回数を更新毎にカウントし、その数が所定数に達したときにそのパスを削除して前記保持用パスを更新すれば、ノイズ成分をフィンガに割り当てることがなくなり、受信特性の劣化を効果的に防止することができる。
【００３０】
（３）　本発明のＣＤＭＡ受信におけるマルチパスのフィンガ割り当て装置は、
所定時間毎に作成される遅延プロファイルからマルチパスを検出してフィンガに割り当てるようにした、ＣＤＭＡ受信におけるマルチパスのフィンガ割り当て装置において、
最新の遅延プロファイルからフィンガ割り当て候補パスを検出し、検出されたフィンガ割り当て候補パスのパスタイミングと、その直前に実際にフィンガに割り当てた保持用パスのパスタイミングとを比較するパスタイミング比較手段と、前記パスタイミング比較手段での比較の結果、そのフィンガ割り当て候補パスのパスの数がその保持用パスのパスの数以上である時には、そのフィンガ割り当て候補パスをそのままフィンガに割り当て、一方、そのフィンガ割り当て候補パスのパスの数が上記保持用パスのパスの数より少ない時には、そのフィンガ割り当て候補パスの各パスを保持用パスの該当する各パスと入れ替えてその保持用パスを更新してフィンガに割り当てるパス割り当て手段と、
前記パス割り当て手段で実際にフィンガに割り当てられたパスタイミングを上記保持用パスとして保持するパス格納手段と、
更新後の前記保持用パスの各パスのうち、入れ替えられていないパスに対して入れ替えられない回数を更新毎にカウントし、その数が所定数に達したときにそのパスを削除するパス削除決定処理手段と
を備えたことを特徴とする、ＣＤＭＡ受信におけるマルチパスのフィンガ割り当て装置。
【００３１】
（４）　本発明のＣＤＭＡ受信におけるマルチパスのフィンガ割り当て装置では、上記（１）で述べた本発明のＣＤＭＡ受信におけるマルチパスのフィンガ割り当て方法を実行するものであるから、当該フィンガ割り当て方法と同じ効果が得られることが明らかである。
【００３２】
（５）　本発明のＣＤＭＡ受信におけるマルチパスのフィンガ割り当てプログラムは、
所定時間毎に作成される遅延プロファイルからマルチパスを検出してフィンガに割り当てるために、
最新の遅延プロファイルからフィンガ割り当て候補パスを検出し、検出されたフィンガ割り当て候補パスのパスタイミングと、その直前に実際にフィンガに割り当てた保持用パスのパスタイミングとを比較し、
前記フィンガ割り当て候補パスのパスの数が前記保持用パスのパスの数以上である時には、そのフィンガ割り当て候補パスをそのままフィンガに割り当てると共に、その割り当てたパスを上記保持用パスに代えて保持し、上記フィンガ割り当て候補パスのパスの数が上記保持用パスのパスの数より少ない時には、そのフィンガ割り当て候補パスの各パスをそのまま保持用パスの該当する各パスと入れ替えてその保持用パスを更新し、且つその更新後の保持用パスをフィンガに割り当てると共に更新前の保持用パスに代えて保持し、
更新後の保持用パスの各パスのうち、入れ替えられていないパスに対しては、入れ替えられない回数を更新毎にカウントし、その数が所定数に達したときにその入れ替えられていないパスを削除する
という手順をコンピュータに実行させる、というものである。
【００３３】
（６）　本発明のＣＤＭＡ受信におけるマルチパスのフィンガ割り当てプログラムは、上記（１）で述べた本発明のＣＤＭＡ受信におけるマルチパスのフィンガ割り当て方法をアルゴリズムとして記述したものである。よって、当該フィンガ割り当て方法と同じ効果が得られることが明らかである。
【００３４】
また、このプログラムを、例えば制御メモリと信号処理回路を備えた汎用のＤＳＰの制御プログラムとして用いれば、汎用のＤＳＰをソフトウェアによってマルチパスのフィンガ割り当て機能を有するマルチパスサーチ部として機能させることができるため、専用のハードウェアでマルチパスサーチ部を作成する場合に比べて大幅なコスト削減が可能となる。
【００３５】
（７）　本発明の第１のＣＤＭＡ受信機は、
受信したマルチパスから遅延プロファイルを作成し、その遅延プロファイルから最適なマルチパスを選択してフィンガ部に割り当てるためのマルチパスサーチ部を備えたＣＤＭＡ受信機において、
前記マルチパスサーチ部が、
作成された遅延プロファイルからフィンガ部に割り当てる候補パスを検出するフィンガ割り当て候補パス検出手段と、
前記フィンガ割り当て候補チパスを保持するかどうかを判断するパス保持判断手段と、
前記パス保持判断手段で保持すると判断したパスを保持用パスとして格納するパス格納手段と、
前記パス格納手段に格納されているパスのパスタイミングと上記フィンガ割り当て候補パスのパスタイミングとを比較するパスタイミング比較手段と、
前記フィンガ割り当て候補パス検出手段で検出されたフィンガ割り当て候補パスをそのまま、あるいは更新処理後の保持用パスを、前記フィンガ部に割り当てるパス割り当て手段と
を備えたことを特徴とするものである。
【００３６】
（８）　本発明の第１のＣＤＭＡ受信機では、上記（１）で述べた本発明のフィンガ割り当て方法を、フィンガ部にマルチパスを割り当てるための具体的な機能を有するマルチパスサーチ部として実現することが可能となる。よって、シャドウイングによって一時的にパスが消失したような場合にのみ前回のパス位置を保持し、パスが見え隠れする環境やパスが移動する環境下においては新たなパスをそのままフィンガに割り当てることで、受信特性の良いＣＤＭＡ受信機を実現できる。
【００３７】
（９）　本発明の第２のＣＤＭＡ受信機は、
受信したマルチパスから遅延プロファイルを作成し、その遅延プロファイルから、最適なマルチパスを選択してフィンガ部に割り当てるためのマルチパスサーチ部を備えたＣＤＭＡ受信機において、
前記マルチパスサーチ部が、
上記（５）で述べたＣＤＭＡ受信におけるマルチパスのフィンガ割り当てプログラムがロードされている制御メモリと、
前記制御メモリにロードされたプログラムによって信号処理回路をフィンガ割り当て回路として機能させるＤＳＰと
を備えたことを特徴とするものである。
【００３８】
（１０）　本発明の第２のＣＤＭＡ受信機では、上記（８）で述べたのと同様の理由により、本発明の第１のＣＤＭＡ受信機と同じ効果が得られる。
【００３９】
【発明の実施の形態】
以下、本発明の好適な実施の形態について添付図面を参照しながら説明する。
【００４０】
（第１実施形態）
図１は本発明の第１実施形態に係るＣＤＭＡ受信機の概略構成を示す機能ブロック図、図２はそのＣＤＭＡ受信機のマルチパスサーチ部の動作を示すフローチャートである。
【００４１】
本発明の第１実施形態に係るＣＤＭＡ受信におけるマルチパスのフィンガ割り当て方法は、当該ＣＤＭＡ受信機のマルチパスサーチ部の動作に適用されており、同フィンガ割り当て装置は、当該ＣＤＭＡ受信機のマルチパスサーチ部に適用されている。
【００４２】
図１に示すように、第１実施形態に係るＣＤＭＡ受信機は、アンテナ２と、高周波受信回路３と、アナログ信号をディジタル信号に変換するＡ／Ｄ変換部４と、１つのパスについて逆拡散及びシンボル同期をとる複数のフィンガ部５と、複数のフィンガ部５の受信信号を同相合成（レイク合成）するレイク受信部６と、遅延プロファイルを測定するためのスライディング相関器等からなる遅延プロファイル測定部７と、測定した遅延プロファイルの相関値を算出する遅延プロファイル相関値算出部８と、本発明の特徴部分であるマルチパスサーチ部１３とから構成されている。遅延プロファイル相関値算出部８は、ハードウェアまたはＤＳＰ等のプロセッサで構成される。遅延プロファイル相関値算出部８の遅延プロファイルの相関値を算出する動作は、公知の任意の方法により実現できる。
【００４３】
アンテナ２と、高周波受信回路３と、Ａ／Ｄ変換部４と、複数のフィンガ部５と、レイク受信部６と、遅延プロファイル測定部７の機能は、それぞれ、前述した従来のＣＤＭＡ装置（図７参照）におけるアンテナ１０２と、高周波受信回路部１０３と、Ａ／Ｄ変換部１０４と、複数のフィンガ部１０５と、Ｒａｋｅ合成受信部１０６と同じである。
【００４４】
マルチパスサーチ部１３は、遅延プロファイル相関値算出部８で作成された遅延プロファイルからフィンガ部５に割り当てる候補となるパスを検出するフィンガ割り当て候補パス検出手段（以下、パス検出手段と略す）１４と、このパス検出手段１４で検出したパスを保持するかどうかを判断するパス保持判断手段１５と、このパス保持判断手段１５で保持すると判断したパスを保持用パスタイミングＢｐとして格納するパス格納手段１６と、このパス格納手段１６に格納されている保持用パスタイミングＢｐと上記パス検出手段１４で検出されたフィンガ部の割り当て候補パスのパスタイミングＡｐとを比較するパスタイミング比較手段１７と、上記パス検出手段１４で検出されたパス及びパス格納手段１６に格納されている保持用パスタイミングＢｐのパスのいずれかを上記フィンガ部５に割り当てるパス割り当て手段１８とを備えて構成されている。
【００４５】
そして、このマルチパスサーチ部１３は、図２に示すような動作フローチャートに従って動作するようになっている。
【００４６】
すなわち、まず最初に、マルチパスサーチ部１３のパス検出手段１４は、遅延プロファイル相関値算出部８で一定時間（数ｍｓｅｃ）毎に作成される最新の遅延プロファイルを受けて、その遅延プロファイルからＮ個のパスを検出してこれらをフィンガ割り当て候補パスＡとする（ステップＳ１）。尚、このＮはフィンガ部５のフィンガの数に応じて決定される自然数であり、必ずしも全フィンガ数である必要はない。
【００４７】
次に、パス保持判断手段１５が、パス格納手段１６に保持用パスＢが格納（保持）されているか否かを判断し（ステップＳ２）、保持されていない場合、例えば最初の運転時やラムクリア（ＲＡＭ　Ｃｌｅａｒ）等が行われた場合等には、そのパス保持判断手段１５が、この割り当て候補パスＡとそのパスタイミングＡｐを保持用パスＢ及びそのパスタイミングＢｐとしてパス格納手段１６にすべて保持する（ステップＳ１５）。その後、パス割り当て手段１８が、パス格納手段１６の保持用パスＢをそのままフィンガ部５に割り当てて（ステップＳ１６）、マルチパスサーチ処理を終了する。
【００４８】
一方、ステップＳ２の段階において、パス格納手段１６に保持用パスＢ及びそのパスタイミングＢｐが格納されていると判断した場合には、パスタイミング比較手段１７が、パス検出手段１４の割り当て候補パスＡのパスタイミングＡｐと、パス格納手段１６に保持しているパスＢのパスタイミングＢｐとを比較する（ステップＳ３）。比較の結果、パスタイミングＡｐとパスタイミングＢｐとが同じ場合には（ステップＳ４）、フィンガ割り当て候補パスＡの個々のパスを、保持用パスＢの個々のパスと入れ替える（ステップＳ５）。
【００４９】
ステップＳ４で、パスタイミングＡｐとパスタイミングＢｐとが同じでない場合には、パスタイミングＡｐとパスタイミングＢｐとを再度比較し（ステップＳ５）、パスタイミングＡｐがパスタイミングＢｐより小さい場合には、フィンガ割り当て候補パスＡの個々のパスを、保持用パスＢの個々のパスと入れ替える（ステップＳ８）。
【００５０】
ステップＳ５で、パスタイミングＡｐがパスタイミングＢｐより小さくない場合には、パスタイミングＡｐとパスタイミングＢｐとを再度比較し（ステップＳ６）、パスタイミングＡｐがパスタイミングＢｐより大きい場合には、フィンガ割り当て候補パスＡの個々のパスを、保持用パスＢの個々のパスと入れ替える（ステップＳ９）。
【００５１】
このように、パスタイミングＡｐとパスタイミングＢｐとが同じ場合（ステップＳ４）、パスタイミングＡｐがパスタイミングＢｐより小さい場合（ステップＳ５）、パスタイミングＡｐがパスタイミングＢｐより大きい場合（ステップＳ６）の順に、フィンガ割り当て候補パスＡの個々のパスを、保持用パスＢの個々のパスと入れ替えるのである（ステップＳ７、ステップＳ８、ステップＳ９）。
【００５２】
なお、このパスタイミングＡｐとパスタイミングＢｐを比較する順序（ステップＳ４，ステップＳ５，ステップＳ６）はどのようなものでも良い。３回の比較ステップが実行されればその実行順序は問わない。そして、このような比較処理（ステップＳ４〜ステップＳ９）を、フィンガ割り当て候補パスＡのすべてのパスについて行う（ステップＳ１０）。
【００５３】
次に、比較処理（ステップＳ４〜ステップＳ９）がフィンガ割り当て候補パスＡのすべてのパスについて完了すると、次に、このような比較処理において保持用パスＢに入れ替えられていないパスがあるかどうかを、パス保持判断手段１５が判断する（ステップＳ１１）。入れ替えられていない、保持しているパスで入れ替えられたものがない場合は、新たな保持用パスＢの各パスを、パス割り当て手段１８がフィンガ部５に割り当てて（ステップＳ１６）、当該処理を終了する。
【００５４】
一方、ステップＳ１１において、保持しているパスで入れ替えられたものがある場合には、パス保持判断手段１５がその入れ替えられていない保持しているパスを削除するか否かを決定する削除決定処理（ステップＳ１２，ステップＳ１３，ステップＳ１４）を行う。この削除決定処理は、この保持しているパスで入れ替えられていないもの毎に有しているカウンタ値Ｘと、任意に設定した値Ｙとを比較して行う。
【００５５】
すなわち、保持しているパスで入れ替えられていないもの毎に有しているカウンタ値Ｘを１回の判断毎に１インクリメントした（ステップＳ１２）後、保持しているパスで入れ替えられていないもの毎のカウンタ値Ｘが設定値Ｙよりも大きいかどうかを判断し（ステップＳ１３）、カウンタ値Ｘが設定値Ｙよりも大きくなるのを待って、該当する保持しているパスを削除する（ステップＳ１４）。なお、このカウンタ値Ｘは、パスをどれだけの時間保持するかを決定するためのものであり、任意の値Ｙは、パスを２４［ｍｓｅｃ］の間、保持するようにするのが望ましい。
【００５６】
そして、この削除決定処理を、保持しているパスで入れ替えられていないものの全部に対して行った後（ステップＳ１１）、保持しているパスＢをフィンガ部５に割り当ててから（ステップＳ１６）、当該処理を終了することになる。
【００５７】
以上述べたように、本発明の第１実施形態に係るＣＤＭＡ受信機では、マルチパスサーチ部１３において、先ず、最新の遅延プロファイルから検出されたフィンガ割り当て候補パスＡのパスタイミングＡｐと、その直前に実際にフィンガに割り当てた保持用パスＢのパスタイミングＢｐとを比較する。その結果、フィンガ割り当て候補パスＡの数が少なくとも保持用パスＢの数以上である時には、シャドウイングによる影響を受けていない、つまり有効な信号成分であるパスの一部が消失していない、と判断できるため、フィンガ部５ヘのパス入れ替えにヒステリシスを持たせることなく、検出されたフィンガ割り当て候補パスＡをそのまま選択してフィンガ部５に割り当てる。
【００５８】
これにより、パスが見え隠れする現象やパス自体が移動する現象が起こっていても、ノイズ成分をフィンガ部５に割り当てることなく、信号成分である有効なパスのみをフィンガ部５に割り当てることができる。よって、パスが見え隠れする環境下やパス自体が移動する環境下における受信特性の劣化を、未然に防止することができる。
【００５９】
一方、前記パスタイミングの比較の結果、フィンガ割り当て候補パスＡの数が保持用パスＢの数より少ない時には、シャドウイングによる影響を受けた、すなわち有効な信号成分であるパスの一部あるいは全部が一時的に消失した、と判断できるため、フィンガ割り当て候補パスＡの各々をそのまま保持用パスＢの対応するパスと入れ替えてその保持用パスＢを更新し、その更新後の保持用パスＢをフィンガ部５に割り当てる。すなわち、シャドウイングが発生した場合には、一時的に消失したパスに代えて前回のパスが割り当てられる。これにより、シャドウイングの影響によって有効な信号成分であるパスの一部あるいは全部が一時的に消失した場合には、フィンガ部５ヘのパス入れ替えにヒステリシスを持たせることができるため、シャドウイングによる信号特性の劣化を効果的に防止することができる。
【００６０】
そして、更新後の保持用パスＢをそのまま保持して次のフィンガ割り当て候補パスＡと比較するために用いれば、受信特性が低いパスタイミングと次に得られる最新のフィンガ割り当て用候補マルチパスのタイミングとを比較することがなくなり、高精度の比較処理を行うことができる。
【００６１】
さらに、更新後の保持用パスＢの各々のうち入れ替えられていないパスに対しては、入れ替えられない回数を更新毎にカウントしている。そして、その入れ替えられない回数が所定数（例えば３回）に達したときには、その入れ替えられていないパスは、もはやシャドウイングの影響によって一時的に消失した有効なパスではなく、パスが移動する前のパス等であってノイズ成分であると判断できる。従って、入れ替えられない回数を更新毎にカウントし、その数が所定数に達したときにそのパスを削除して保持用パスＢを更新すれば、ノイズ成分をフィンガに割り当てることがなくなり、受信特性の劣化を効果的に防止することができる。
【００６２】
このように、本発明のＣＤＭＡ受信機によれば、レイリーフェージングやシャドウイングによる影響のみならず、パスが見え隠れする環境やパス自身が移動する環境下であっても受信特性の劣化を未然に防止することができる。
【００６３】
（第２実施形態）
図６は、本発明の第２実施形態に係るＣＤＭＡ受信機の概略構成を示す機能ブロック図である。
【００６４】
この第２実施形態のＣＤＭＡ受信機は、第１実施形態のＣＤＭＡ受信機（図１参照）におけるマルチパスサーチ部１３を、制御メモリ１９とＤＳＰ２０とを用いて構成したものである。制御メモリ１９内には、上述したマルチパスのフィンガ割り当て方法のアルゴリズムを記述したフィンガ割り当てプログラムがロードされている。当該プログラムにより、ＤＳＰ２０は、上述したマルチパスのフィンガ割り当て方法を実行する「フィンガ割り当て回路」として機能する。
【００６５】
第２実施形態のＣＤＭＡ受信機では、汎用のＤＳＰをソフトウェアでマルチパスのフィンガ割り当て機能を有するマルチパスサーチ部として機能させることができるため、専用のハードウェアでマルチパスサーチ部を作成する場合に比べて大幅なコスト削減が可能となる。またこのような構成を採用することにより、半導体メモリやＣＤ−ＲＯＭ等の記録媒体を用いてこのフィンガ割り当てプログラムをＣＤＭＡ受信機に組み込むことができ、既存のＣＤＭＡ受信機にその機能を容易に付与することが可能となる。
【００６６】
【実施例】
次に本発明の具体的実施例を説明する。
【００６７】
図３〜図５は、それぞれ、前記３ＧＰＰのＰ．２８〜Ｐ．３０において規定されている環境下における遅延プロファイルを示したものである。図３は３ＧＰＰ８．５．１．１章（Ｐ．３０）におけるＴｅｓｔ１によるもの、図４は３ＧＰＰ８．４．１．１章（Ｐ．２９）におけるＴｅｓｔ１によるもの、図５は３ＧＰＰ８．３．１．１章（Ｐ．２８）におけるＴｅｓｔ９によるものである。
【００６８】
また、図３〜図５に示す遅延プロファイルは、図１における遅延プロファイル相関値算出部８で作成された遅延プロファイルであって、１／４チップ分解能で作成されており、図中の各プロット点は１／４チップ分解能でサンプリングされた際のパスを示す。
【００６９】
図３〜図５において、Ａは、ある特定時間に作成された遅延プロファイルを示し、Ｂ、Ｃ、Ｄ、Ｅはその後に作成された遅延プロファイルを示す。よって、これらの遅延プロファイルＡ、Ｂ、Ｃ、Ｄ、Ｅは、この順に作成されたものである。
【００７０】
先ず、図３に示すように、ある特定時間に作成された遅延プロファイルＡ（実線及び丸プロット）においてＣ２に存在していたパスが、その次に作成された遅延プロファイルＢ（点線及び四角プロット）では、そのＣ２に存在していたパスが消失し、Ｃ３に出現している。これはパスが見え隠れする環境下に対応する。この場合、遅延プロファイルＢ作成時において、パスＣ３が信号成分であり、パスＣ２はノイズ成分である。従って、遅延プロファイルＢ作成時に、信号成分であるパスＣ３をフィンガに割り当てることなく、ノイズ成分であるパスＣ２をフィンガに割り当てると、受信特性が劣化してしまうことになる。
【００７１】
以下の表４は、図３に示すようなパスが見え隠れする環境下において、フィンガに割り当てるパスタイミングを示した表である。
【００７２】
【表４】
2004140705.tif 000006
表４に示すように、最初の遅延プロファイルＡの作成時に、パスタイミング１８８のパスＣ１及びパスタイミング２８４のパスＣ２が出現しているので、このパスＣ１及びパスＣ２を検出してそれぞれ保持し、そのままフィンガａ及びフィンガｂに割り当てる。次に、遅延ファイルＢの作成時にパスタイミング２８４のパスＣ２が消失し、パスタイミング３００のパスＣ３が出現すると、本発明では、まず遅延プロファイルＢからパスタイミング１８８のパスＣ１及びパスタイミング３００のパスＣ３を検出し、それぞれ、パスタイミング１８８のパスＣ１とパスタイミング２８４のパスＣ２と入れ替える。このとき、保持しているパスで入れ替えられていないものが無いため、削除決定処理を行わずに、パスタイミング１８８のパスＣ１及びパスタイミング３００のパスＣ３をフィンガａ及びフィンガｂに割り当てる。さらに、遅延プロファイルＣ作成時には、まず遅延プロファイルＣからパスタイミング１８８のパスＣ１及びパスタイミング３００のパスＣ３を検出し、それぞれ、前回のパスタイミング１８８のパスＣ１とパスタイミング２８４のパスＣ２と入れ替える。このとき、保持しているパスで入れ替えられていないものが無いため、削除決定処理を行わずに、パスタイミング１８８のパスＣ１及びパスタイミング３００のパスＣ３を、それぞれフィンガａ及びフィンガｂに割り当てる。
【００７３】
従って、表４に示すような、パスが見え隠れする環境下において、ノイズ成分であるパスＣ２をフィンガ部５に割り当てることなく、信号成分であるパスＣ３をフィンガ部５に割り当てることができる。その結果、パスが見え隠れする環境下における受信特性の劣化を防止することができる。
【００７４】
次に、図４に示すように、ある特定時問に作成された遅延プロファイルＡではＤ２に存在していたパスが、その次に作成された遅延プロファイルＢではＤ３に移動した場合（これはパス自身が移動する環境下に対応する）には、遅延プロファイルＢにおいて、パスＤ３が信号成分であり、パスＤ２はノイズ成分である。従って、遅延プロファイルＢの作成時に、信号成分であるパスＤ３をフィンガに割り当てずに、ノイズ成分であるパスＤ２をフィンガに割り当てると、受信特性が劣化してしまう。また、遅延プロファイルＣの作成時に、パスＤ３はパスＤ４に移動しているから、信号成分であるパスＤ４ではなくノイズ成分であるパスＤ３をフィンガに割り当てると、受信特性が劣化してしまう。
【００７５】
以下の表５は、このようなパスが移動する環境下において、フィンガに割り当てられるパスタイミングを示した表である。
【００７６】
【表５】
2004140705.tif 000007
表５において、遅延プロファイルＡの作成時には、パスタイミング１６１のパスＤ１及びパスタイミング２１５のパスＤ２をそれぞれ保持し、それらをそのままフィンガａ及びフィンガｂに割り当てる。次に、遅延プロファイルＢの作成時に、パスタイミング２１５のパスＤ２がパスタイミング２１６のパスＤ３まで移動しているので、本発明では、まず遅延プロファイルＢからパスタイミング１６１のパスＤ１及びパスタイミング２１６のパスＤ３を検出して、それらをパスタイミング１６１のパスＤ１とパスタイミング２１５のパスＤ２とそれぞれ入れ替える。このとき、保持しているパスで入れ替えられていないものが無いため、削除決定処理を行わずに、パスタイミング１６１のパスＤ１及びパスタイミング２１６のパスＤ３をフィンガａ及びフィンガｂにそれぞれ割り当てる。
【００７７】
続いて、遅延プロファイルＣの作成時には、パスタイミング２１６のパスＤ３がパスタイミング２１７のパスＤ４まで移動しているので、まず遅延プロファイルＣからパスタイミング１６１のパスＤ１及びパスタイミング２１７のパスＤ４を検出して、それらをパスタイミング１６１のパスＤ１とパスタイミング２１６のパスＤ３とそれぞれ入れ替える。このとき、保持しているパスで入れ替えられていないものが無いため、削除決定処理を行わずに、パスタイミング１６１のパスＤ１及びパスタイミング２１７のパスＤ４をフィンガａ及びフィンガｂにそれぞれ割り当てる。
【００７８】
従って、表５に示すような、パス自身が移動する環境下において、ノイズ成分であるパスをフィンガ部５に割り当てずに、信号成分であるパスをフィンガ部５に割り当てるようになるため、パス自身が移動する環境下においても同様に受信特性の劣化を防止することができる。
【００７９】
図５は、ある特定時問に作成された遅延プロファイルＡではＥ１及びＥ２に存在していたパスが、遅延プロファイルＣ（破線及び三角プロット）の作成時に消失し、遅延プロファイルＤ（実線及び白丸プロット）の作成時にパスＥ２が再び出現し、遅延プロファイルＥ（実線及び白三角プロット）の作成時にパスＥ１が再び出現する場合（パスが一時的に消失する環境下）を示したものである。
【００８０】
図５に示すように、遅延プロファイルＣにおいて、パスＥ１及びパスＥ２はある特定時間にシャドウイングによって一時的に消失したパスであり、信号成分である。また、遅延プロファイルＤにおいて、パスＥ１はある特定時間にシャドウイングによって一時的に消失するパスであり、信号成分である。従って、上記遅延プロファイルＣ作成時及び遅延プロファイルＤ作成時に、パスＥ１またはパスＥ２をフィンガに割り当てないと、受信特性が劣化してしまう。
【００８１】
以下の表６は、このようにパスが一時的に消失する環境下において、本発明によりフィンガに割り当てられるパスタイミングを示す表である。
【００８２】
【表６】
2004140705.tif 000008
表６において、遅延プロファイルＡの作成時には、パスタイミング１６１のパスＥ１及びパスタイミング１７６のパスＥ２をそれぞれ保持し、フィンガａ及びフィンガｂにそれぞれ割り当てる。次に、遅延プロファイルＢの作成時には、まず遅延プロファイルＢからパスタイミング１６１のパスＥ１及びパスタイミング１７６のパスＥ２を検出して、パスタイミング１６１のパスＥ１とパスタイミング１７６のパスＥ２とそれぞれ入れ替える。このとき、保持しているパスで入れ替えられていないものが無いため、削除決定処理を行わずに、パスタイミング１６１のパスＥ１及びパスタイミング１７６のパスＥ２をフィンガａ及びフィンガｂにそれぞれ割り当てる。
【００８３】
遅延プロファイルＣの作成時には、パスタイミング１６１のパスＥ１及びパスタイミング１７６のパスＥ２がシャドウイングにより一時的に消失しており、保持しているパスタイミング１６１のパスＥ１は入れ替えられていないため、パスＥ１が有しているカウンタを１インクリメントし、パスＥ１が有しているカウンタ値（Ｃ値）は１となる。
【００８４】
ここで、パス削除決定処理に使用する任意の値Ｙを３とすると、パスタイミング１６１のパスＥ１は削除されない。また、保持しているパスタイミング１７６のパスＥ２も、入れ替えられていないため、パスＥ２が有しているカウンタ値を１インクリメントし、パスＥ２が有しているカウンタ値も１となる。
【００８５】
同じく削除決定処理に使用する任意の値Ｙを３とすると、パスタイミング１７６のパスＥ２は削除しない。そして、保持しているパスタイミング１６１のパスＥ１及びパスタイミング１７６のパスＥ２をそのまま、それぞれフィンガａ、フィンガｂに割り当てる。
【００８６】
続いて、遅延プロファイルＤの作成時に、パスタイミング１６１のパスＥ１がシャドウイングにより一時的に消失し、パスタイミング１７６のパスＥ２が再び出現しているので、まず遅延プロファイルＤからパスタイミング１７６のパスＥ２を検出して、パスタイミング１７６のパスＥ２と入れ替える。しかし、パスタイミング１６１のパスＥ１は入れ替えられていないため、パスＥ１が有しているカウンタをさらに１インクリメントすることで、パスＥ１が有しているカウンタ値を２となる。しかし、この場合も、カウンタ値（＝２）が、削除決定処理に使用する任意の値Ｙ（＝３）より小さいため、パスタイミング１６１のパスＥｌは削除せず、保持しているパスタイミング１６１のパスＥ１及びパスタイミング１７６のパスＥ２をそれぞれフィンガａ、フィンガｂに割り当てる。
【００８７】
さらに、遅延プロファイルＥの作成時には、まず遅延プロファイルＥからパスタイミング１６１のパスＥ１及びパスタイミング１７６のパスＥ２を検出し、パスタイミング１６１のパスＥ１とパスタイミング１７６のパスＥ２とそれぞれ入れ替える。このとき、保持しているパスで入れ替えられていないものが無いため、削除決定処理を行わずに、パスタイミング１６１のパスＥ１及びパスタイミング１７６のパスＥ２をフィンガａ及びフィンガｂにそれぞれ割り当てる。
【００８８】
これにより、表６に示すような、パス自体が移動する環境下において、シャドウイングにより一時的に消失したパスをフィンガに割り当てることにより、受信特性の劣化を防止することが可能となる。
【００８９】
反対に、この遅延プロファイルＥの作成時においてもパスＥ１が検出されない場合には、さらにこのパスＥ１が有しているカウンタが１インクリメントされることにより、パスＥ１が有しているカウンタ値が３となり、削除決定処理に使用する任意の値Ｙ（＝３）に等しくなるため、削除決定処理が実行される。その結果、このパスＥ１はノイズ成分と判断されて削除される。従って、ノイズ成分と判断されたパスＥ１が、それ以降、繰り返してフィンガに割り当てられることがなくなり、これによっても受信特性の劣化を防止することが可能となる。
【００９０】
表７は、３ＧＰＰのＰ．２８〜Ｐ．３０において規定されている環境下において、本発明を用いることによるＢＬＥＲ（Ｂｌｏｃｋ　Ｅｒｒｏｒ　Ｒａｔｉｏ）の特性向上を示したものである。
【００９１】
【表７】
2004140705.tif 000009
表７において、ＣＡＳＥ３は３ＧＰＰ８．３．１．１章（Ｐ．２８）におけるＴｅｓｔ９によるもの、ＭＯＶＩＮＧは３ＧＰＰ８．４．１．１章（Ｐ．２９）におけるＴｅｓｔ１によるもの、ＢＩＲＴＨ／ＤＥＡＴＨは３ＧＰＰ８．５．１．１章（Ｐ．３０）におけるＴｅｓｔ１によるものである。本発明によれば、いずれの場合にも従来よりも優れた特性向上が得られることがわかる。
【００９２】
（変形例）
上記の第１〜第２の実施形態は、本発明を具体化した例を示すものである。したがって、本発明はこれらの実施形態に限定されるものではなく、本発明の趣旨を外れることなく種々の変形が可能であることは言うまでもない。
【００９３】
【発明の効果】
本発明によれば、レイリーフェージングやシャドウイングによる影響のみならず、パスが見え隠れする環境下やパス自身が移動する環境下であっても、受信特性の劣化を未然に防止することができる。その結果、受信特性の良いＣＤＭＡ受信が達成できる。
【図面の簡単な説明】
【図１】本発明の第１実施形態に係るＣＤＭＡ受信機の構成を示す機能ブロック図である。
【図２】本発明の第１実施形態に係るフィンガ割り当て方法を示す動作フローチャートである。
【図３】パス自身が移動する環境下における遅延プロファイルの一例を示すグラフ図である。
【図４】パスが見え隠れする環境下における遅延プロファイルの一例を示すグラフ図である。
【図５】パスが消失する場合における遅延プロファイルの一例を示すグラフ図である。
【図６】本発明の第２実施形態に係るＣＤＭＡ受信機の構成を示す機能ブロック図である。
【図７】従来のＣＤＭＡ受信機の構成の一例を示す機能ブロック図である。
【図８】従来のＣＤＭＡ受信機におけるフィンガ割り当て方法を示すフローチャートである。
【図９】従来のＣＤＭＡ受信機におけるパス重み付け動作を示す説明図であり、（ａ）は重み付け関数の変化、（ｂ）は遅延プロファイルの変化、（ｃ）は乗算器出力の変化を示す。
【図１０】一部のパスが消失して別の位置に新たに出現する場合の遅延プロファイルを示すグラフである。
【図１１】ある位置に存在していたパスが他の位置に移動する場合の遅延プロファイルを示すグラフである。
【符号の説明】
２　アンテナ
３　高周波受信回路
４　Ａ／Ｄ変換部
５　フィンガ部
６　レイク受信部
７　遅延プロファイル測定部
８　遅延プロファイル相関値算出部
１３　マルチパスサーチ部
１４　フィンガ割り当て候補パス検出手段
１５　パス保持判断手段
１６　パス格納手段
１７　パスタイミング比較手段
１８　パス割り当て手段
１９　制御メモリ
２０　ＤＳＰ
【図１】
2004140705.tif 000010
【図２】
2004140705.tif 000011
【図３】
2004140705.tif 000012
【図４】
2004140705.tif 000013
【図５】
2004140705.tif 000014
【図６】
2004140705.tif 000015
【図７】
2004140705.tif 000016
【図８】
2004140705.tif 000017
【図９】
2004140705.tif 000018
【図１０】
2004140705.tif 000019
【図１１】
2004140705.tif 000020